(57)【要約】      （修正有）【課題】エンドピンを所望の位置で固定具により固定するとき、その位置で確実に固定できていることを確認でき、エンドピンを所望の位置で固定したら、たとえ固定具のネジなどが少々緩んだとしてもエンドピンがズレたりして、固定位置が変わらない固定具を提供する。【解決手段】エンドピンの固定具２は、一端１４が楽器本体１６に収納され、他端１８が床２０に立てられる軸部２２を含むエンドピン１０と、該エンドピン１０の軸部２２が貫通させられる貫通孔３０を備え該楽器本体１６に固定される本体固定部材１２とを備える。エンドピンの固定具２において、エンドピン１０は、該軸部２２に形成された凹部２６を備える。本体固定部材１２は、付勢手段４４により付勢されて軸部２２の凹部２６に係合される係合突起４２と、係合突起４２の軸心を含む同一平面上に軸心を有し、軸部２２が押圧される押圧手段（雄ネジ３４）とを備える。【選択図】図１
2020067524.tif 000002
【特許請求の範囲】
【請求項１】
一端が楽器本体に収納され、他端が床に立てられる軸部を含み、該軸部に凹部が形成されたエンドピンを固定する本体固定部材であって、
前記楽器本体に固定される嵌合部と、
前記エンドピンの軸部が貫通させられる貫通孔と、
付勢手段により付勢されて前記軸部の凹部に係合される係合突起と、
前記係合突起の軸心を含む同一平面上に軸心を有し前記軸部が押圧される押圧手段と
を備えた本体固定部材。
【請求項２】
一端が楽器本体に収納され、他端が床に立てられる軸部を含み、該軸部に環状凹部が形成されたエンドピンを固定する本体固定部材であって、
前記楽器本体に固定される嵌合部と、
前記エンドピンの軸部が貫通させられる貫通孔と、
前記貫通孔の内径部に形成された環状溝と、
前記環状溝に収納され、無負荷時には前記軸部の環状凹部の最小外径とされ、前記軸部の表面に接する時には拡径させられるC字状弾力性部材と、
該環状溝を含む平面上に軸心を有し該軸部が締結される締結手段と
を備えた本体固定部材。
【請求項３】
一端が楽器本体に収納され、他端が床に立てられる軸部を含むエンドピンと、該エンドピンの軸部が貫通させられる貫通孔を備え該楽器本体に固定される本体固定部材とを備えたエンドピンの固定具であって、
前記エンドピンは、該軸部に形成された凹部を備え、
前記本体固定部材は、付勢手段により付勢されて前記軸部の凹部に係合される係合突起と、前記係合突起の軸心を含む同一平面上に軸心を有し前記軸部が押圧される押圧手段とを備えて、
構成されるエンドピンの固定具。
【請求項４】
一端が楽器本体に収納され、他端が床に立てられる軸部を含むエンドピンと、該エンドピンの軸部が貫通させられる貫通孔を備え該楽器本体に固定される本体固定部材とを備えたエンドピンの固定具であって、
前記エンドピンは、該軸部に形成された環状凹部を備え、
前記本体固定部材の貫通孔の内径部に形成された環状溝と、該環状溝に収納され、無負荷時には前記軸部の環状凹部の最小外径とされ、前記軸部の表面に接する時には拡径させられるC字状弾力性部材と、該環状溝を含む平面上に軸心を有し該軸部が締結される締結手段とを備えて、
構成されるエンドピンの固定具。
【請求項５】
前記請求項3又は４に記載のエンドピンの固定具と共に用いられる安全装置であって、軸部を含むエンドピンと、該エンドピンの軸部に挿通し得る内径を有し、隙間を有するように形成されたC字状部材と、該C字状部材の隙間に跨る締結手段とを備えたエンドピンの固定具の安全装置。
【請求項６】
前記C字状部材の内径部に１又は複数箇所に切欠きを設けた請求項５に記載のエンドピンの固定具の安全装置。
【請求項７】
前記請求項3又は４に記載のエンドピンの固定具により固定されるエンドピンにおいて、
前記軸部の他端近傍部に周方向に形成された溝と、該軸部の他端に被せられるゴムキャップの内径部に嵌め込まれた弾性部材とを備え、該弾性部材の一部が前記溝に係合するエンドピン。
【請求項８】
前記請求項１から７までのいずれか１項に記載のエンドピンの固定具を用いた楽器。
【請求項９】
一端が楽器本体に収納され、他端が床に立てられる軸部を含み、該軸部に凹部が形成されたエンドピンと、
前記楽器本体に固定される嵌合部と、前記エンドピンの軸部が貫通させられる貫通孔と、側面に該貫通孔に直交して設けられた底面を有する穴とを含む本体固定部材と
を備えたエンドピンの固定具の締結手段において、
前記穴に摺動可能に配設され、前記エンドピンが貫通させられる孔と、該孔の内面に前記軸部の凹部に係合される係合突起が形成された円柱部材と、
前記穴の底面と円柱部材の端面との間に配設される付勢手段と、
前記円柱部材の他の端面に形成され、前記貫通孔と孔に挿通された前記軸部を該円柱部材を介して押圧する押圧手段と
を備えた締結手段。
【発明の詳細な説明】
【技術分野】
【０００１】
本発明は、大型楽器に用いられるエンドピンの本体固定部材及び固定具とその固定具を備えた楽器に関する。
【背景技術】
【０００２】
エンドピンは、コントラバスやチェロなどの弦楽器やバスクラリネットなどの木管楽器などの大型楽器に使用される。たとえば、コントラバスを例にすると、図１４に示すように、エンドピン１００，１０２は、床１０３に立てて楽器を支える金属製の棒状部材で、大型楽器の下端部（尾部）１１４に着脱可能に取り付けられる。エンドピン１００，１０２は、楽器を支える役割以外に、振動（音）を床に伝えて響きを増幅させる役割を持つ重要な部品である。このエンドピン１００，１０２は、演奏者の身長（座高）や演奏スタイルなどに合わせて、長さの調節が必要であるため、伸縮できるように固定具によって固定するようになっている。
【０００３】
従来から提供されている長さ調節が可能なエンドピンの固定具には２種類がある。それらは図１５及び図１６に示すように、いずれもエンドピン１００，１０２と本体固定部材１０４，１０６とから構成されている。エンドピン１００，１０２は、軸部１０８，１１０の一端が楽器本体の下端部１１４に収納され、他端が楽器を床に立てるために尖った形状をした先端部１１２を備えて構成されている。この先端部１１２には、床面を保護する目的などからゴムキャップ１１３が設けられている。本体固定部材１０４，１０６は、エンドピン１００，１０２の軸部１０８，１１０が貫通させられる貫通孔１１６と、エンドピン１００，１０２の軸部１０８，１１０を所望の位置で締結される締結具１１８，１２０と、楽器本体の下端部１１４に着脱可能に固定される楽器固定部１２２を備えている。
【０００４】
具体的にはそのうちの固定具の一つは、図１５に示すように、エンドピン１００には、その軸部１０８に環状凹部１２４が軸方向に等間隔に形成されている。本体固定部材１０４の締結具１１８は、貫通孔１１６に対して直角方向に形成された雌ネジ１２６と、その雌ネジ１２６に螺合される雄ネジ部材１２８とから構成されている。雄ネジ部材１２８の先端部が軸部１０８に形成された環状凹部１２４に嵌まり込むことによって、エンドピン１００と本体固定部材１０４とが強固に固定される。
【０００５】
しかしながら、雄ネジ部材１２８の先端部をエンドピン１００の環状凹部１２４に嵌め込む作業は、本体固定部材１０４が木材などで形成されていて、環状凹部１２４を目視することができないため、感覚に頼らざるを得ない。このため、雄ネジ部材１２８の先端部がエンドピン１００の環状凹部１２４に嵌まり込んでいるものとして、楽器を演奏をしていると、雄ネジ部材１２８の先端部が環状凹部１２４以外の箇所に当たっていた場合には、振動などにより雄ネジ部材１２８が少し緩んだだけで、エンドピン１００が徐々に滑って楽器の内部に入り込んでしまうという問題があった。
【０００６】
また他の固定具の一つは、図１６に示すように、エンドピン１０２は、環状凹部のないストレートの軸部１１０により構成されている。本体固定部材１０６の締結具１２０は、円柱部材１３０の一端に形成された雄ネジ１３２を備えたスライド部材１３４と、本体固定部材１０６の側面に開けられた円柱部材１３０の挿入口を覆うように被せられ、中央部に雄ネジ１３２が挿通させられる孔を備えたキャップ１３６と、キャップ１３６の孔から突き出た雄ネジ１３２に螺着させられる雌ネジを備えた雌ネジ部材１３８とを備えて構成されている。スライド部材１３４の円柱部材１３０には、本体固定部材１０６に開けられたエンドピン１０２の軸部１１０が貫通させられる貫通孔１１６を横切る位置に、貫通孔１１６と同径の孔１４０が開けられている。かかる構成により、本体固定部材１０６の貫通孔１１６と円柱部材１３０の孔１４０とに貫通させられたエンドピン１０２の軸部１１０は、雌ネジ部材１３８を締め付けることにより、貫通孔１１６と孔１４０の位置が相対的にずれ、摩擦力により軸部１１０が固定される。
【０００７】
この固定具は、任意の位置でエンドピン１０２を固定することができ、長さ調整がし易いものであった。しかしながら、雌ネジ部材１３８の締付力が弱いと、雄ネジ１３２の延性も加わり摩擦力が弱まり、エンドピン１０２の軸部１１０が滑ってしまい、楽器の内部に入り込んでしまうという問題があった。
【０００８】
このような固定具に対して、特許文献１に示すようなエンドピンの固定具が提案されている。この固定具は、楽器に取り付けられる第１部材と、径を縮径させる切欠きが設けられた第２部材とからなり、傾斜面を有する第１部材に第２部材を挿入することにより、第２部材を縮径させ、第２部材によりエンドピンを圧着固定するものである。この固定具は、第１部材と第２部材との噛み合いが弛むと、エンドピンを圧着できなくなり、エンドピンが楽器の内部に入り込んでしまう。
【０００９】
また、図１５に示すように、エンドピン１００の先端部１１２に被せられるゴムキャップ１１３はネジによって螺着されているが、楽器の演奏中にその楽器を左右に動かしたりして、ゴムキャップ１１３を中心に回転させることがある。すると、ゴムキャップ１１３と床１０３との摩擦により、ゴムキャップ１１３が先端部のネジで緩み、次第にゴムキャップ１１３と先端部１１２との間に隙間ができてしまい、エンドピン１００の長さが変わってしまうことがあった。このような事態は、奏者にとって非常に演奏しづらいものとなる。
【００１０】
コンサートなどにおける楽器の演奏は、多数の観衆の前で行うものであるので、演奏中にエンドピンの固定位置がずれたとしてもそのまま演奏するほかない。そこで、演奏者にとっては意図しないでエンドピンの固定位置が変わらない、信頼のおけるエンドピンの固定具を望んでいた。
【先行技術文献】
【特許文献】
【００１１】
【特許文献１】特許第６１４２９７２号公報
【特許文献２】特開２００１−２１５９５３号公報
【発明の概要】
【発明が解決しようとする課題】
【００１２】
上記した問題に鑑み、本発明の課題は、エンドピンを所望の位置で固定具により固定するとき、その位置で確実に固定できていることを確認できるようにすることにある。
【００１３】
また、本発明の課題は、エンドピンを所望の位置で固定したら、たとえ固定具のネジなどが少々緩んだとしてもエンドピンが位置ズレしたりして、その固定位置が変わらない固定具を提供することにある。
【課題を解決するための手段】
【００１４】
本発明に係る本体固定部材は、一端が楽器本体に収納され、他端が床に立てられる軸部を含み、該軸部に凹部が形成されたエンドピンを固定する本体固定部材であって、前記楽器本体に固定される嵌合部と、前記エンドピンの軸部が貫通させられる貫通孔と、付勢手段により付勢されて前記軸部の凹部に係合される係合突起と、前記係合突起の軸心を含む同一平面上に軸心を有し前記軸部が押圧される押圧手段とを備えて構成される。
【００１５】
また、本発明に係る他の本体固定部材は、一端が楽器本体に収納され、他端が床に立てられる軸部を含み、該軸部に環状凹部が形成されたエンドピンを固定する本体固定部材であって、前記楽器本体に固定される嵌合部と、前記エンドピンの軸部が貫通させられる貫通孔と、前記貫通孔の内径部に形成された環状溝と、前記環状溝に収納され、無負荷時には前記軸部の環状凹部の最小外径とされ、前記軸部の表面に接する時には拡径させられるC字状弾力性部材と、該環状溝を含む平面上に軸心を有し該軸部が締結される締結手段と
を備えて構成される。
【００１６】
更に、本発明に係るエンドピンの固定具は、一端が楽器本体に収納され、他端が床に立てられる軸部を含むエンドピンと、該エンドピンの軸部が貫通させられる貫通孔を備え該楽器本体に固定される本体固定部材とを備えたエンドピンの固定具であって、前記エンドピンは、該軸部に形成された凹部を備え、前記本体固定部材は、付勢手段により付勢されて前記軸部の凹部に係合される係合突起と、前記係合突起の軸心を含む同一平面上に軸心を有し前記軸部が押圧される押圧手段とを備えて構成される。
【００１７】
また、本発明に係るエンドピンの固定具は、一端が楽器本体に収納され、他端が床に立てられる軸部を含むエンドピンと、該エンドピンの軸部が貫通させられる貫通孔を備え該楽器本体に固定される本体固定部材とを備えたエンドピンの固定具であって、前記エンドピンは、該軸部に形成された環状凹部を備え、前記本体固定部材の貫通孔の内径部に形成された環状溝と、該環状溝に収納され、無負荷時には前記軸部の環状凹部の最小外径とされ、前記軸部の表面に接する時には拡径させられるC字状弾力性部材と、該環状溝を含む平面上に軸心を有し該軸部が締結される締結手段とを備えて構成される。
【００１８】
更に、本発明に係るエンドピンの固定具の安全装置は、軸部を含むエンドピンと、該エンドピンの軸部に挿通し得る内径を有し、隙間を有するように形成されたC字状部材と、該C字状部材の隙間に跨る締結手段とを備えて構成される。
【００１９】
本発明に係るエンドピンの固定具の安全装置において、前記C字状部材の内径部に１又は複数箇所に切欠きを設けた。
【００２０】
更に、本発明に係るエンドピンの固定具により固定されるエンドピンにおいて、前記軸部の他端近傍部に周方向に形成された溝と、該軸部の他端に被せられるゴムキャップの内径部に嵌め込まれた弾性部材とを備え、該弾性部材の一部が前記溝に係合するように構成される。
【００２１】
本発明に係る楽器は、上記エンドピンの固定具を用いて構成される。
【００２２】
更に、本発明に係るエンドピンの固定具の締結手段は、一端が楽器本体に収納され、他端が床に立てられる軸部を含み、該軸部に凹部が形成されたエンドピンと、前記楽器本体に固定される嵌合部と、前記エンドピンの軸部が貫通させられる貫通孔と、側面に該貫通孔に直交して設けられた底面を有する穴とを含む本体固定部材とを備えたエンドピンの固定具の締結手段において、
前記穴に摺動可能に配設され、前記エンドピンの軸部が貫通させられる孔と、該孔の内面に前記軸部の凹部に係合される係合突起が形成された円柱部材と、前記穴の底面と円柱部材の端面との間に配設される付勢手段と、前記円柱部材の他の端面に形成され、前記貫通孔と孔に挿通された前記軸部を該円柱部材を介して押圧する押圧手段とを備えて構成される。
【発明の効果】
【００２３】
本発明に係るエンドピンの本体固定部材及び固定具によれば、エンドピンの軸部に形成された凹部に、付勢手段によって付勢された係合突起が係合される。本体固定部材の貫通孔に軸方向にエンドピンの軸部を移動させるとき、係合突起に軸部の凹部が順次係合させられるが、係合時に音や振動などを生じて操作者に知らせることができる。音や振動などで係合突起が軸部の凹部に係合していることが分かれば、係合突起の軸心を含む同一平面上に軸心を有する押圧手段により押圧すると、押圧手段は軸部の凹部と必ず係合することになる。押圧手段は、軸部の凹部に係合して押圧しているので、押圧手段の押圧が少々緩んだとしても、容易に係合が解除されることはないので、エンドピンの軸部が本体固定部材の貫通孔に対してズレることはない。
【００２４】
また、本発明に係るエンドピンの本体固定部材及び固定具によれば、本体固定部材の貫通孔に形成された環状溝にC字状弾力性部材が収納されていて、そのC字状弾力性部材がエンドピンの軸部に嵌め合わされている。本体固定部材の貫通孔を軸部が移動させられると、軸部に形成された環状凹部とC字状弾力性部材とが係合し、音や振動などを発する。操作者は、この音と振動などによりC字状弾力性部材が軸部の環状凹部に係合していることが分かる。C字状弾力性部材が収納されている環状溝を含む平面上に軸心を有する締結手段により軸部を締結することにより、締結手段は軸部の環状凹部と係合させて、本体固定部材と軸部とを締結することができる。したがって、締結手段の締結が緩んだとしても、締結手段が環状凹部と係合しているため、直ちに締結が解除されることはない。
【００２５】
さらに、本発明に係るエンドピンの固定具の安全装置によれば、エンドピンの軸部を挿通し得る内径を備えたC字状部材において、C字状をなす隙間を跨ぐ締結手段によりその隙間を締め付けることにより、C字状部材の内径が縮む結果、エンドピンの軸部の任意の箇所にC字状部材を固定することができる。したがって、エンドピンの固定具と共にかかるC字状部材を取り付けることにより、たとえ固定具が緩んだとしても、同時にC字状部材も緩むことはないため、安全装置として機能する。
【図面の簡単な説明】
【００２６】
【図１】本発明に係るエンドピンの固定具を示す要部断面図である。
【図２】図１に示す固定具に用いられる円柱部材の拡大図であり、（ａ）は平面図、（ｂ）は正面断面図である。
【図３】本発明に係るエンドピンの他の固定具を示す要部断面図である。
【図４】本発明に係るエンドピンの他の固定具を示す要部断面図である。
【図５】本発明に係るエンドピンの他の固定具を示す要部断面図であり、（ａ）及び（ｂ）は固定具を分解して示す部品の正面断面図、（ｃ）は組み立てた状態を示す正面断面図である。
【図６】本発明に係るエンドピンの他の固定具を示す要部断面図である。
【図７】本発明に係るエンドピンの他の固定具を示す要部断面図である。
【図８】本発明に係るエンドピンの他の固定具を示す要部拡大断面図である。
【図９】本発明に係るエンドピンの他の固定具を示す要部拡大断面図であり、（ａ）は正面断面図、（ｂ）は平面断面図である。
【図１０】（ａ）は本発明に係るエンドピンの固定具の安全装置を示す正面図であり、（ｂ）は平面要部断面図である。
【図１１】（ａ）は本発明に係るエンドピンの固定具の他の安全装置における主要部品を示す平面図であり、（ｂ）は正面図であり、（ｃ）は右側面図である。
【図１２】本発明に係るエンドピンの主要部を示す図であり、（ａ）はエンドピンの先端部を示す図、（ｂ）はゴムキャップの断面図、（ｃ）はエンドピンの先端部にゴムキャップを被せた断面図である。
【図１３】本発明に係るエンドピンの主要部を示す図であり、（ａ）はエンドピンの先端部を示す図、（ｂ）はゴムキャップに圧入する弾性スリーブの断面図、（ｃ）は弾性スリーブの平面図、（ｄ）はエンドピンの先端部に弾性スリーブが圧入されたゴムキャップを被せた断面図である。
【図１４】エンドピンをコントラバスに取り付けた状態を示す図である。
【図１５】従来のエンドピンの固定具を示す要部断面図である。
【図１６】従来のエンドピンの他の固定具を示す要部断面図である。
【発明を実施するための形態】
【００２７】
本発明に係るエンドピンの固定具２（以下「本固定具」という。）は、図１に示すように、エンドピン１０と本体固定部材１２とから構成される。
【００２８】
エンドピン１０は、一端１４が楽器本体１６に収納され、他端１８が床２０に立てられる軸部２２を含んで構成される。軸部２２の他端１８側の先端部には、ゴムキャップ２４が被せられていて、このゴムキャップ２４を外すと、軸部２２と一体的に形成された先端が尖った形状が現れる。通常、ゴムキャップ２４を付けたまま楽器の演奏に使用される。このエンドピン１０の軸部２２には、環状凹部２６が軸方向にほぼ等間隔に形成されている。環状凹部２６は軸部２２の周方向に円弧状に形成されている。すなわち、環状凹部２６の中央部が最も窪みが深く、軸方向両端側は徐々に浅くなり軸部２２の外径につながっている。環状凹部２６は溝を成すように角ばった形状とすることも可能であるが、応力集中などによる折損を防ぐ観点から、アール形状が好ましい。
【００２９】
エンドピン１０の軸部２２の材質は、スチール、カーボン、チタン、真鍮、タングステンなどや、これらの組み合わせなどからなるのが好ましい。軸部２２の材質は、楽器からの音の振動を伝える役割もあり、どのような材質を選ぶかにより、音質、響き、音色、音量などを含む音響効果に影響を及ぼすものであり、適宜選定される。エンドピン１０の軸部２２の長さや軸径などは楽器の種類によっても異なり、限定されない。軸部２２に形成される環状凹部２６の形状や間隔などは限定されない。なお、軸部２２の他端１８側の先端部には、軸部２２の外径より径の大きい拡径部１９が設けられている。この拡径部１９はエンドピン１０が楽器本体１６の中に入り込むのを防ぐためのものである。
【００３０】
本体固定部材１２は、楽器本体１６の下部に着脱可能に嵌合させられる嵌合部２８を備えると共に、エンドピン１０の軸部２２が貫通させられる貫通孔３０を備えている。貫通孔３０の内径は、エンドピン１０の軸部２２の外径よりも若干大きい程度とされる。貫通孔３０の内面部分前面又は両端の一部にコルク材などの弾性部材が配設されても良い。貫通孔３０の長さは、エンドピン３０を支えるのに十分な長さであれば良い。本体固定部材１２の材質は、通常木材が使用されているが、スチールやチタンなどの金属によって形成されても良い。更に、本体固定部材１２には、貫通孔３０に貫通させられた軸部２２を締結する締結手段３２を備えている。締結手段３２は、本体固定部材１２の側面に貫通孔３０と直交するように開けられた穴３３に、端面に雄ネジ３４が形成された円柱部材３６が摺動可能に挿入され、その雄ネジ３４に雌ネジ３８が螺合されて構成されている。円柱部材３６の側面にはエンドピン１０の軸部２２が貫通させられる孔４０が開けられている。
【００３１】
図２に拡大して示すように、円柱部材３６の孔４０の内径は、エンドピン１０の軸部２２が挿通されやすい十分な大きさの内径とされている。円柱部材３６の孔４０の側面には、軸部２２の環状凹部２６と係合される係合突起４２が雄ネジ３４とは反対側の面に形成されている。係合突起４２の形状や大きさは、軸部２２の環状凹部２６と係合し得る形状であれば特に限定されず、例えば環状凹部２６の曲率半径より若干小さい曲率半径から若干大きい曲率半径の円弧状や、環状凹部２６に嵌まり込む台形形状などであっても良い。係合突起４２の形状が台形形状である場合、軸部２２に接する箇所にフラットな面４３があるのが好ましい。このフラットな面４３の軸方向の２つの角部が、軸部２２の環状凹部２６と係合させられたとき、環状凹部２６の円弧をなす面と接触するのが好ましい。円柱部材３６と軸部２２との軸方向の遊びを極力なくすためである。また、係合突起４２のフラットな面４３から軸方向に孔４０の内面につながる箇所は、なだらかな斜面で形成されているのが好ましい。エンドピン１０の軸部２２と貫通孔３０とを相対的に軸方向に移動させたとき、滑らかに動くようにするためである。係合突起４２は、上述のように円柱部材３６の孔４０の片側側面に形成すれば良いが、製造上の観点から孔４０の内面全周に設けても良い。
【００３２】
円柱部材３６の２つの端面の内、雄ネジ３４が形成されていない反対側の端面には、コイルスプリング４４が配設される穴が設けられている。図１に示すように、円柱部材３６が本体固定部材１２の穴３３に配設されたとき、コイルスプリング４４がその穴３３の底面と円柱部材３６の端面との間で圧縮され、円柱部材３６を常に押し出すように作用する。コイルスプリング４４と共にその周りに径の大きいコイルスプリングを設け、付勢力を高めるように構成しても良い。さらに、コイルスプリング４４に代えて板バネ、皿バネ、発泡ゴムなどの弾力性部材でも良く、これらは円柱部材３６を１方向に付勢する付勢手段を構成する。
【００３３】
円柱部材３６の雄ネジ３４には、キャップ４６を介して雌ネジ３８が螺合されている。したがって、本体固定部材１２の貫通孔３０とその本体固定部材１２の穴３３に挿入された円柱部材３６の孔４０とを貫くように貫通させられたエンドピン１０の軸部２２は、雌ネジ３８を回転させ、雄ネジ３４を締め付けることにより、円柱部材３６は雌ネジ３８側に引き寄せられる。これにより円柱部材３６の孔４０を通る軸部２２は雌ネジ３８側に引き寄せられるが、貫通孔３０の部分にある軸部２２は移動をしない結果、軸部２２は強固に固定される。すなわち、円柱部材３６、雄ネジ３４及び雌ネジ３８が押圧手段を構成する。ここで、円柱部材３６の孔４０の側面に形成された係合突起４２が軸部２２の環状凹部２６と係合しているので軸方向に動くことはない。たとえ雌ネジ３８の締付力が緩んだとしても、係合突起４２が環状凹部２６との係合から外れるまで雌ネジ３８が緩まない限り、エンドピン１０の軸部２２が本体固定部材１２に対して軸方向に動くことはなく、エンドピン１０の本体固定部材１２に対する位置が変わることはない。
【００３４】
以上の構成において、次のように作動させられる。まず、本体固定部材１２の穴３３にコイルスプリング４４が取り付けられた円柱部材３６を挿入し、雄ネジ３４を少し押しながら貫通孔３０と円柱部材３６の孔４０との位置を合わせた後、エンドピン１０の軸部２２を貫通孔３０と孔４０とに挿入する。雄ネジ３４を押し込む力を抜くと、コイルスプリング４４に付勢された円柱部材３６は孔４０の側面に形成された係合突起４２のフラットな面４３が軸部２２の表面に密着させられる。エンドピン１０の軸部２２は、コイルスプリング４４の付勢力のみで付勢されているので軸部２２を固定する力が弱く、軸部２２を貫通孔３０に対して軸方向にスライドさせることができる。このとき、軸部２２に形成された環状凹部２６を通過する時、係合突起４２が環状凹部２６の形状に沿って動く結果、カチッという音と共に振動が操作者に伝わってきて、係合突起４２が環状凹部２６と係合していることが分かる。このようにして、軸部２２を所望の位置まで動かすまでの間、環状凹部２６の箇所で音と振動により係合とその解除（環状凹部２６以外の軸部２２の表面に係合突起４２があること）が看取される。上記所望の位置で音と振動がした時点で軸部２２のスライドを止め、雄ネジ３４にキャップ４６を介して雌ネジ３８を螺合させ、十分に締め付ける。締付固定は、係合突起４２と環状凹部２６との係合によって行われても良いが、円柱部材３６の孔４０の内面と軸部２２の外面との接触部によって行われるようにしても良い。
【００３５】
この作動により、軸部２２の環状凹部２６に円柱部材３６の係合突起４２を音と振動により確実に係合させることができ、その位置で十分に締め付けて固定することができる。故に、楽器の演奏中などにおいて、たとえ雌ネジ３８が緩むことがあったとしても、係合突起４２と環状凹部２６の係合が解除されるまで雌ネジ３８が緩まない限り、軸部２２の位置がずれることはない。
【００３６】
以上、本発明のエンドピンの固定具の１実施形態を詳述したが、本発明はこの実施形態に限定されるものではなく、次に他の実施形態を説明する。なお、前述の実施形態と同じ部品・部材などについては、同じ符号を付して説明を省略する。
【００３７】
たとえば、図３に示すように、本発明に係るエンドピンの他の固定具３は、本体固定部材１２の穴３３に挿入される円柱部材４８の端部には雌ネジ５０を形成し、雄ネジ５２によって締め付けるように構成することも可能である。このように構成しても、前述の実施形態と同様の作動と効果が得られる。
【００３８】
また、図４に示すように、本発明に係るエンドピンの他の固定具３は、円柱部材３６の雄ネジ３４を雌ネジ３８で締め付けるとき、雌ネジ３８をフランジ５４付きにすることにより、キャップを不要とすることができる。フランジ５４の外径は、円柱部材３６を挿入するために開けられた穴３３よりも大きく作られる。このフランジ５４により、本体固定部材１２の穴３３の周辺を押さえて、円柱部材３６の雄ネジ３４を引っ張ることができ、更に円柱部材３６を挿入するための穴３３を覆うことができ、外観を損ねることはない。なお、前述の図３に示す実施形態において、雄ネジ３４をフランジ付きにすることにより、同様にキャップを省略することが可能となる。
【００３９】
次に、図５に示すように、本発明に係るエンドピンの他の固定具４において、本体固定部材５５は固定部材本体５５Ａと、カバー部材５５Ｂと、円柱部材３６と、コイルスプリング４４と、雄ネジ５２を備えて構成されている。固定部材本体５５Ａは、同図（ａ）に示すように、楽器本体の下部に着脱可能に嵌合させられる嵌合部２８と、エンドピン１０の軸部２２が貫通させられる貫通孔３０と、嵌合部２８とは反対側のストレートの側面に貫通孔３０と直交するように開けられ円柱部材３６がスライドさせられる孔５７とを備えている。固定部材本体５５Ａに形成された貫通孔３０の両端には、コルクや樹脂などからなるブッシュ６１が嵌め込まれていて、エンドピン１０の軸部２２がスムーズに軸方向に動くように構成されている。固定部材本体５５Ａのストレートの側面における端部には段差部６３が設けられている。なお、固定部材本体５５Ａは黒檀などの木材によって形成され、カバー部材５５Ｂは真鍮やステンレススチールなどの金属により、あるいは金メッキなどが施された金属などにより形成される。
【００４０】
固定部材本体５５Ａのストレートの側面に形成された孔５７に挿入される円柱部材３６は、その側面を貫くようにエンドピン１０の軸部２２が通される孔４０が開けられている。円柱部材３６の両端部の一方には、円柱部材３６をその軸方向に付勢する付勢手段であるコイルスプリング４４が設けられ、他方には軸方向に雌ネジ５０が形成されている。また、雌ネジ５０が形成されている端部の外周には直線状又は円弧状の斜面６５が形成されている。斜面６５は、後述するように、カバー部材５５Ｂを被せるときに引っかからないようにするためである。円柱部材３６の側面を貫く孔４０のコイルスプリング４４が設けられている側の面には、係合突起４２が形成されている。係合突起４２の形状等については、図１の実施形態と同様であるので説明を省略する。
【００４１】
固定部材本体５５Ａのストレートの側面及び段差部６３にはカバー部材５５Ｂが被せられる。カバー部材５５Ｂには、軸方向に固定部材本体５５Ａのストレートの側面に被さる孔６７Ａと、段差部６３と係合する小径孔６７Ｂが形成され、更に軸方向と直交する方向に雄ネジ５２が通る孔６７Ｃが形成されている。孔６７Ｃの位置は、カバー部材５５Ｂが固定部材本体５５Ａのストレートの側面に被せられたとき、円柱部材３６の雌ネジ５０とほぼ同軸になるように形成される。
【００４２】
以上の構成において、固定部材本体５５Ａの孔５７に挿入された円柱部材３６の斜面６５とコイルスプリング４４の端部を押し縮めるようにしてカバー部材５５Ｂを固定部材本体５５Ａの側面に被せる。そして、カバー部材５５Ｂの孔６７Ｃを介して雄ネジ５２を差し込み、円柱部材３６の雌ネジ５０と軽く螺合させる（図５（ｃ）参照）。円柱部材３６は孔５７にスライド可能に挿入されていて、コイルスプリング４４の端面はカバー部材５５Ｂの孔６７Ａの内面によって付勢されている。円柱部材３６がコイルスプリング４４によって付勢されることによって、円柱部材３６の孔４０の軸心と、貫通孔３０の軸心とがズレた状態とされる。このような状態で、エンドピン１０の軸部２２が貫通孔３０と孔４０に挿入されると、孔４０内に形成された係合突起４２がエンドピン１０の軸部２２と係合するように接触する。係合突起４２が軸部２２に形成された環状凹部２６と係合したとき、雄ネジ５２を締め付け、係合突起４２及び孔４０の内面で軸部２２を押圧する。その他の作用・効果は図１の実施形態と同様であるので説明を省略する。
【００４３】
次に、図６に示すように、本発明に係るエンドピンの他の固定具５は、本体固定部材５６の側面から貫通孔３０に至る孔に、球体（係合突起）５８と、その球体５８を付勢するコイルスプリング（付勢手段）４４と、これら球体５８とコイルスプリング４４とが外部に飛び出ないようにする埋め込みネジ６０とが配設され、更に他の箇所に雄ネジ６２が配設されて構成される。球体５８は、その表面の一部が貫通孔３０を覗くように開口部が狭められて構成され、貫通孔３０に貫通させられた軸部２２と係合させられる。雄ネジ６２の先端が貫通孔３０から出ない状態で、軸部２２を貫通孔３０に挿通させると、球体５８が軸部２２の表面を転がるように動き、軸部２２の環状凹部２６の箇所で、その表面に沿って球体５８が飛び出る。更に軸部２２が軸方向に移動させられると、球体５８は環状凹部２６の表面に沿って押されて押し戻される。この一連の動きにより、操作者に音と振動が伝わり、環状凹部２６の位置を看取することができる。そこで、球体５８などと同軸上に設けられた雄ネジ６２を締め付けることにより、雄ネジ６２が環状凹部２６に係合して押圧される。ここで、球体５８の直径は、環状凹部２６の球面の曲率半径より若干小さい程度が好ましい。また、雄ネジ６２の先端部の形状は、環状凹部２６の球面に沿う形状が好ましい。なお、球体５８などの構成は、周方向の複数箇所に設けても良い。
【００４４】
また、図７に示すように、図６に示す球体５８などに代えて、金属製の筒体に球体（係合突起）５９とコイルスプリング（付勢手段）４４が内蔵され、筒体の外面にネジが形成されたユニット６４を使用することも可能である。本体固定部材５６の側面から貫通孔３０に至るまで雌ネジを切り、その雌ネジにユニット６４を螺合させ、その先端の球体５９の一部が貫通孔３０から出たところで固定する。球体５９の直径と軸部２２の環状凹部２６の幅とが略同じであれば、前述の実施形態と同様に単一で用いることも可能である。本実施形態のように、球体５９が環状凹部２６の幅よりも小さい場合、ユニット６４を２か所に設けるのが好ましい。この場合、環状凹部２６の軸方向の一端側と他端側のそれぞれの角部又は斜面に接するように位置を違えて配設するのが好ましい。このように配設することにより、２つのユニット６４がそれぞれ環状凹部２６内にあるとき、軸部２２と本体固定部材５６との相対的ながたつきがなく安定し、操作者に２つのユニット６４の球体５９が環状凹部２６に嵌まり込んでいることを看取させる。そこで、２つのユニット６４の軸方向中間部に設けられた雄ネジ６２を締め付けると、雄ネジ６２の先端が確実に環状凹部２６に係合した状態で締め付けることができる。
【００４５】
次に、本発明に係るエンドピンの他の固定具６は、図８に示す実施形態であっても良い。すなわち、本体固定部材６６の側面から貫通孔３０に至る雌ネジを形成し、その中に断面U字状のスライド部材（係合手段）６８と、そのスライド部材６８の端面と当接して押圧する雄ネジ（押圧手段）６２と、断面U字状のスライド部材６８と雄ネジ６２との間に配設されたコイルスプリング（付勢手段）４４とを備えて構成される。断面U字状のスライド部材６８は、先端部の形状が軸部２２の環状凹部２６の形状に沿うか、若干曲率半径が小さい球面に形成されている。スライド部材６８の先端部とは反対側に、スライド方向に穴が設けられていて、コイルスプリング４４が収納される。コイルスプリング４４は、無負荷時にはスライド部材６８の穴から飛び出していて、コイルスプリング４４の端部が雄ネジ６２に押圧されることにより、スライド部材６８の穴内に収納される。更に、雄ネジ６２を締め付けることにより、雄ネジ６２はスライド部材６８の穴周辺の端面を押圧する。
【００４６】
かかる固定具６において、雄ネジ６２を緩めた状態で、本体固定部材６６の貫通孔３０にエンドピン１０の軸部２２を貫通させる。スライド部材６８はコイルスプリング４４に押圧され、軸部２２の表面に沿って動く。スライド部材６８は、軸部２２の環状凹部２６の所で係合させられ、音と振動がする。これにより、スライド部材６８が環状凹部２６にあることが分かる。軸部２２を本体固定部材６６に対して所定の位置にまで動かして、音と振動により環状凹部２６にスライド部材６８が係合していることを確認した後、雄ネジ６２を締め付けて固定する。
【００４７】
次に、エンドピンの固定具７は図９に示す構成とすることも可能である。本体固定部材７０の貫通孔３０の内径部にリング状の環状溝７２を形成する。そして、この環状溝７２にC字状弾力性部材７４を収納する。C字状弾力性部材７４の外径は、貫通孔３０の内径よりも大きく設定される。また、C字状弾力性部材７４の内径は、無負荷時にはエンドピン１０の軸部２２に形成された環状凹部２６の最小外径と同じか若干小さく形成され、軸部２２のストレート部の表面に接する時には拡径させられる。C字状弾力性部材７４の内径が拡径させられるとき、C字状弾力性部材７４の外面が環状溝７２の内面に当接しないように、環状溝７２の内径が形成されている。C字状弾力性部材７４の内周面はフラットな面とされるか、環状凹部２６の表面に沿う形状とされる。C字状弾力性部材７４の幅は、環状凹部２６の幅よりも若干小さく設定されるのが好ましいが、C字状弾力性部材７４の幅が狭すぎると、軸部２２との間で軸方向にガタツキが出るので好ましくない。このC字状弾力性部材７４は樹脂やバネ鋼などで形成されるのが好ましい。また、本体固定部材７０の側面から環状溝７２に通じる箇所には雌ネジが形成され、その雌ネジには雄ネジ６２が螺合される。
【００４８】
かかるエンドピンの固定具７において、本体固定部材７０の貫通孔３０にC字状弾力性部材７４の外径を縮めるようにして押し込み、その後、環状溝７２にまで移動させて押し込む。C字状弾力性部材７４は環状溝７２内で、無負荷の正常な形に戻る。その本体固定部材７０の貫通孔３０にエンドピン１０の軸部２２を挿入する。軸部２２の端部は、C字状弾力性部材７４の内径側端部に当接されるが、そのまま押し込むことにより、C字状弾力性部材７４の内径を軸部２２の軸径にまで押し広げ、軸部２２の外形に密着させられる。更にそのまま軸部２２を押し込むことにより、環状凹部２６の箇所でその形状に沿うようにC字状弾力性部材７４は縮径する。この作動により操作者に音と振動が伝わり、C字状弾力性部材７４が環状凹部２６の箇所にあることが看取される。続いて軸部２２を押し込むと、C字状弾力性部材７４を拡径させるために大きな力を必要とし、押し込む力が軽くなることで、C字状弾力性部材７４が軸部２２のストレート部にあることが看取される。このようにして、軸部２２を本体固定部材７０に対して所定の位置にまで動かして、音と振動により環状凹部２６にC字状弾力性部材７４があることを確認した後、雄ネジ６２を締め付けて固定する。雄ネジ６２の先端は、確実に環状凹部２６と係合しており、仮に雄ネジ６２が若干緩んだとしても、環状凹部２６と雄ネジ６２の先端との係合が解除されることはない。
【００４９】
次に、図１０に示すように、エンドピンの固定具の安全装置９は、エンドピン１０の軸部２２に挿通し得る内径を有し、隙間８２を有するように形成されたC字状部材８４と、そのC字状部材８４の隙間８２に跨り、その隙間８２を狭めることにより内径を小さくし得るネジ部材（締結手段）８６とを備えて構成される。すなわち、C字状部材８４の内径は、エンドピン１０の軸部２２の外径より若干大きい程度に設定され、軸部２２の表面に沿って滑らかに移動させることができる。C字状部材８４の材質は、金属又は硬質樹脂で形成されるのが好ましい。C字状部材８４で軸部２２を強固に固定するためである。
【００５０】
このC字状部材８４は、エンドピン１０の固定具の安全装置として用いられる。C字状部材８４は軸部２２に対して任意の箇所に固定でき、本願発明の固定具だけでなく、従来の固定具の下部に接近させて固定される。このようにすることにより、固定具が軸部２２に対してズレ落ちる状態になっても、このC字状部材８４からなる安全装置９によりズレ落ちることはない。
【００５１】
C字状部材８４からなる安全装置９は、金属などの厚板から形成されるため、ネジ部材で締め付ける場合、相当な力を要する。そこで、図１１に示すように、C字状部材８４の内径部に切欠き８８を設けても良い。切欠き８８は１か所でも複数箇所でも良く、形状などは任意に設計できる。切欠き８８により、弱い力でも強固にC字状部材８４を軸部２２に対して固定できる。
【００５２】
本願発明の固定具によってエンドピンが固定されることによって、楽器の演奏中などにおいて不用意にエンドピンの本体固定部材への取付け位置が変わってしまうことはなくなる。ところが、従来のエンドピンの先端部には雄ネジが形成され、その雄ネジに螺合する雌ネジが形成されたゴムキャップが嵌められているため、演奏中にゴムキャップがネジ部で回転することがあった。ゴムキャップが回転すると、結果的にエンドピンの長さが変わってしまい、演奏しづらいものとなる。
【００５３】
そこで、図１２（ａ）に示すように、エンドピン１０の先端部にリング状の溝９０を設け、一方、同図（ｂ）に示すように、ゴムキャップ２４の内側に金属製の筒状体９２を設けると共にその筒状体９２の溝９０と対向する位置に内周溝を設け、その内周溝にリングスプリング（スナップリング）９４を配設する。筒状体９２はゴムキャップ２４に圧入される。リングスプリング９４はバネ鋼などによって製造されていて、リングの一部が切断されたC字状を成している。したがって、筒状体９２に嵌め込まれたリングスプリング９４は、径方向に広がるようにされている。そして、同図（ｃ）に示すように、ゴムキャップ２４の筒状体９２にエンドピン１０の先端部を挿入すると、リングスプリング９４は一旦径方向に広げられた後、溝９０に嵌まり、縮径する。その結果、人為的に軸部２２とゴムキャップ２４とを強く引っ張らないと、両者は外れない。また、ゴムキャップ２４はリングスプリング９４に沿って軸部２２に対して周方向に回転し得るが、その回転に伴ってエンドピンの軸部の長さが変わることはない。
【００５４】
上述のリングスプリング９４に代えて、筒状体に一体的に形成することも可能である。たとえば、図１３（ａ）に示すように、エンドピン１０の軸部２２の先端部にリング状の溝９０を設け、一方、同図（ｂ）及び（ｃ）に示すように、筒状体９６の一端内周面に突き出すように係合凸部９８を設け、更に筒状体９６の一端に軸方向に複数のスリット９７を設ける。この筒状体９６は同図（ｄ）に示すように、ゴムキャップ２４に軸方向に圧入される。かかる構成において、エンドピン１０の先端部がゴムキャップ２４に圧入された筒状体９６に挿入されるとき、エンドピン１０の先端傾斜面が筒状体９６の係合凸部９８を径方向に押し広げ、軸部２２に形成された溝９０に係合凸部９８が嵌まり込んで係合させられる。筒状体９６のスリット９７は、係合凸部９８が径方向に広がるのを許容させると共に、収縮するのを許容させる。この構成により、ゴムキャップ２４は、軸部２２の溝９０に沿って周方向に回転し得るが、軸方向に移動することはない。
【００５５】
以上、本発明に係るエンドピンの固定具について各種実施形態を説明したが、本発明はこれらの実施形態に限定されるものではない。たとえば、本体固定部材は通常、木材で形成されるが、この場合、本体固定部材の側面に雌ネジを形成するとき、直接雌ネジを形成するのではなく、雌ネジを形成した金属を埋め込むのが好ましい。
【００５６】
エンドピンの軸部に形成される環状凹部の形状は、傾斜面にて形成しても良く、溝状であっても良い。また、エンドピンは、本願に適した構造・形状のものを提供するようにしても良いが、市販のものを利用しても良い。市販のエンドピンを利用する場合、エンドピンと本体固定部材とを同時に販売する必要はなく、本体固定部材のみを製造販売することも可能である。
【００５７】
本発明のエンドピンの固定具は、エンドピンと本体固定部材とを備えて構成され、これらが一体として販売されるのが好ましいが、エンドピンは市販品を利用できることから、本体固定部材のみを製造販売することも可能である。更に、本体固定部材における締結手段のみを製造販売することも可能である。
【００５８】
その他、本発明は、その趣旨を逸脱しない範囲で当業者の知識に基づいて種々なる改良、修正又は変形を加えた態様で実施できる。また、同一の作用又は効果が生じる範囲内で、何れかの発明特定事項を他の技術に置換した形態で実施しても良い。
【符号の説明】
【００５９】
２，３，４，５，６，７：固定具
９：安全装置
１０：エンドピン
１２、５５、５６、７０、７８：本体固定部材
２２：軸部
２４：ゴムキャップ
２６：環状凹部（凹部）
２８：嵌合部
３０：貫通孔
３２：締結手段
３４、５２：雄ネジ（押圧手段）
３６、４８：円柱部材
４０：孔
４２：係合突起（係合手段）
４４：コイルスプリング（付勢手段）
５８，５９：球体（係合手段）
７２：環状溝
７４：C字状弾力性部材
８４：C字状部材
８８：切欠き
【図１】
2020067524.tif 000003
【図２】
2020067524.tif 000004
【図３】
2020067524.tif 000005
【図４】
2020067524.tif 000006
【図５】
2020067524.tif 000007
【図６】
2020067524.tif 000008
【図７】
2020067524.tif 000009
【図８】
2020067524.tif 000010
【図９】
2020067524.tif 000011
【図１０】
2020067524.tif 000012
【図１１】
2020067524.tif 000013
【図１２】
2020067524.tif 000014
【図１３】
2020067524.tif 000015
【図１４】
2020067524.tif 000016
【図１５】
2020067524.tif 000017
【図１６】
2020067524.tif 000018
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
一端が楽器本体に収納され、他端が床に立てられる軸部を含み、該軸部に凹部が形成されたエンドピンを固定する本体固定部材であって、
前記楽器本体に固定される嵌合部と、
前記エンドピンの軸部が貫通させられる貫通孔と、
側面に前記貫通孔に直交して設けられた底面を有する穴と、
前記穴に摺動可能に配設され、前記軸部が貫通させられる孔と、該孔の内面に前記軸部の凹部に係合される係合突起が形成された円柱部材と、
前記穴の底面と円柱部材の端面との間に配設される付勢手段と、
前記円柱部材の他の端面に形成され、前記貫通孔と孔に挿通された前記軸部を該円柱部材を介して押圧する押圧手段と
を備えた本体固定部材。
【請求項２】
一端が楽器本体に収納され、他端が床に立てられる軸部を含み、該軸部に凹部が形成されたエンドピンを固定する本体固定部材であって、
前記楽器本体に固定される嵌合部と、
前記エンドピンの軸部が貫通させられる貫通孔と、
側面に前記貫通孔に直交して設けられた横貫通孔と、
前記横貫通孔に摺動可能に配設され、前記軸部が貫通させられる孔と、該孔の内面に前記軸部の凹部に係合される係合突起が形成された円柱部材と、
前記横貫通孔を覆うカバー部材と、
前記カバー部材の内面と前記円柱部材の端面との間に配設される付勢手段と、
前記円柱部材の他の端面に形成され、前記貫通孔と孔に挿通された前記軸部を該円柱部材を介して押圧する押圧手段と
を備えた本体固定部材。
【請求項３】
一端が楽器本体に収納され、他端が床に立てられる軸部を含み、該軸部に凹部が形成されたエンドピンを固定する本体固定部材であって、
前記楽器本体に固定される嵌合部と、
前記エンドピンの軸部が貫通させられる貫通孔と、
側面に前記貫通孔に至るように設けられた雌ネジと、
前記雌ネジに挿入される断面U字状の係合手段と、
前記雌ネジに螺合され、前記係合手段の端面に当接して該係合手段を介して前記軸部を押圧する押圧手段と、
前記係合手段の断面U字状の穴内に一端が収納され、他端が前記押圧手段の端面に当接する付勢手段と
を備えた本体固定部材。
【請求項４】
一端が楽器本体に収納され、他端が床に立てられる軸部を含み、該軸部に凹部が形成されたエンドピンを固定する本体固定部材であって、
前記楽器本体に固定される嵌合部と、
前記エンドピンの軸部が貫通させられる貫通孔と、
側面に前記貫通孔に至るように設けられた雌ネジと、
前記雌ネジに螺合され、前記軸部を押圧する押圧手段と、
前記貫通孔の内径部であって雌ネジが形成された箇所に形成されたリング状の環状溝と、
前記環状溝内に収納され、前記軸部の凹部に係合させられるC字状弾力性部材である係合手段と
を備えた本体固定部材。
【請求項５】
一端が楽器本体に収納され、他端が床に立てられる軸部を含み、該軸部に凹部が形成されたエンドピンと、
前記請求項１から４までのいずれかに記載の本体固定部材と
を備えて構成されるエンドピンの固定具。
【請求項６】
前記請求項５に記載のエンドピンの固定具を用いた楽器。
【請求項７】
一端が楽器本体に収納され、他端が床に立てられる軸部を含み、該軸部に凹部が形成されたエンドピンと、
前記楽器本体に固定される嵌合部と、前記エンドピンの軸部が貫通させられる貫通孔と、側面に該貫通孔に直交して設けられた底面を有する穴とを含む本体固定部材と
を備えたエンドピンの固定具の締結手段において、
前記穴に摺動可能に配設され、前記エンドピンが貫通させられる孔と、該孔の内面に前記軸部の凹部に係合される係合突起が形成された円柱部材と、
前記穴の底面と円柱部材の端面との間に配設される付勢手段と、
前記円柱部材の他の端面に形成され、前記貫通孔と孔に挿通された前記軸部を該円柱部材を介して押圧する押圧手段と
を備えた締結手段。
【手続補正２】
【補正対象書類名】明細書
【補正対象項目名】００１５
【補正方法】変更
【補正の内容】
【００１５】
上記上位概念に係る本発明の本体固定部材は、より具体的には以下の４種類の構成により実現される。
【手続補正３】
【補正対象書類名】明細書
【補正対象項目名】００１６
【補正方法】変更
【補正の内容】
【００１６】
先ず第１の本発明に係る本体固定部材は、
一端が楽器本体に収納され、他端が床に立てられる軸部を含み、該軸部に凹部が形成されたエンドピンを固定する本体固定部材であって、前記楽器本体に固定される嵌合部と、前記エンドピンの軸部が貫通させられる貫通孔と、側面に前記貫通孔に直交して設けられた底面を有する穴と、前記穴に摺動可能に配設され、前記軸部が貫通させられる孔と、該孔の内面に前記軸部の凹部に係合される係合突起が形成された円柱部材と、前記穴の底面と円柱部材の端面との間に配設される付勢手段と、前記円柱部材の他の端面に形成され、前記貫通孔と孔に挿通された前記軸部を該円柱部材を介して押圧する押圧手段とを備えて構成される。
【手続補正４】
【補正対象書類名】明細書
【補正対象項目名】００１７
【補正方法】変更
【補正の内容】
【００１７】
第２の本発明に係る本体固定部材は、一端が楽器本体に収納され、他端が床に立てられる軸部を含み、該軸部に凹部が形成されたエンドピンを固定する本体固定部材であって、前記楽器本体に固定される嵌合部と、前記エンドピンの軸部が貫通させられる貫通孔と、側面に前記貫通孔に直交して設けられた横貫通孔と、前記横貫通孔に摺動可能に配設され、前記軸部が貫通させられる孔と、該孔の内面に前記軸部の凹部に係合される係合突起が形成された円柱部材と、前記横貫通孔を覆うカバー部材と、  前記カバー部材の内面と前記円柱部材の端面との間に配設される付勢手段と、前記円柱部材の他の端面に形成され、前記貫通孔と孔に挿通された前記軸部を該円柱部材を介して押圧する押圧手段とを備えて構成される。
【手続補正５】
【補正対象書類名】明細書
【補正対象項目名】００１８
【補正方法】変更
【補正の内容】
【００１８】
第３の本発明に係る本体固定部材は、一端が楽器本体に収納され、他端が床に立てられる軸部を含み、該軸部に凹部が形成されたエンドピンを固定する本体固定部材であって、前記楽器本体に固定される嵌合部と、前記エンドピンの軸部が貫通させられる貫通孔と、  側面に前記貫通孔に至るように設けられた雌ネジと、  前記雌ネジに挿入される断面U字状の係合手段と、前記雌ネジに螺合され、前記係合手段の端面に当接して該係合手段を介して前記軸部を押圧する押圧手段と、前記係合手段の断面U字状の穴内に一端が収納され、他端が前記押圧手段の端面に当接する付勢手段とを備えて構成される。
【手続補正６】
【補正対象書類名】明細書
【補正対象項目名】００１９
【補正方法】変更
【補正の内容】
【００１９】
第４の本発明に係る本体固定部材は、一端が楽器本体に収納され、他端が床に立てられる軸部を含み、該軸部に凹部が形成されたエンドピンを固定する本体固定部材であって、前記楽器本体に固定される嵌合部と、前記エンドピンの軸部が貫通させられる貫通孔と、
側面に前記貫通孔に至るように設けられた雌ネジと、  前記雌ネジに螺合され、前記軸部を押圧する押圧手段と、前記貫通孔の内径部であって雌ネジが形成された箇所に形成されたリング状の環状溝と、前記環状溝内に収納され、前記軸部の凹部に係合させられるC字状弾力性部材である係合手段とを備えて構成される。
【手続補正７】
【補正対象書類名】明細書
【補正対象項目名】００２０
【補正方法】変更
【補正の内容】
【００２０】
次に、本発明に係るエンドピンの固定具は、一端が楽器本体に収納され、他端が床に立てられる軸部を含み、該軸部に凹部が形成されたエンドピンと、上記第１から第４までに記載のいずれかの本体固定部材とを備えて構成される。
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００３９
【補正方法】変更
【補正の内容】
【００３９】
次に、図５に示すように、本発明に係るエンドピンの他の固定具４において、本体固定部材５５は固定部材本体５５Ａと、カバー部材５５Ｂと、円柱部材３６と、コイルスプリング４４と、雄ネジ５２を備えて構成されている。固定部材本体５５Ａは、同図（ａ）に示すように、楽器本体の下部に着脱可能に嵌合させられる嵌合部２８と、エンドピン１０の軸部２２が貫通させられる貫通孔３０と、嵌合部２８とは反対側のストレートの側面に貫通孔３０と直交するように開けられ円柱部材３６がスライドさせられる横貫通孔５７とを備えている。固定部材本体５５Ａに形成された貫通孔３０の両端には、コルクや樹脂などからなるブッシュ６１が嵌め込まれていて、エンドピン１０の軸部２２がスムーズに軸方向に動くように構成されている。固定部材本体５５Ａのストレートの側面における端部には段差部６３が設けられている。なお、固定部材本体５５Ａは黒檀などの木材によって形成され、カバー部材５５Ｂは真鍮やステンレススチールなどの金属により、あるいは金メッキなどが施された金属などにより形成される。
【手続補正１１】
【補正対象書類名】明細書
【補正対象項目名】００４０
【補正方法】変更
【補正の内容】
【００４０】
固定部材本体５５Ａのストレートの側面に形成された孔５７に挿入される円柱部材３６は、その側面を貫くようにエンドピン１０の軸部２２が通される横貫通孔４０が開けられている。円柱部材３６の両端部の一方には、円柱部材３６をその軸方向に付勢する付勢手段であるコイルスプリング４４が設けられ、他方には軸方向に雌ネジ５０が形成されている。また、雌ネジ５０が形成されている端部の外周には直線状又は円弧状の斜面６５が形成されている。斜面６５は、後述するように、カバー部材５５Ｂを被せるときに引っかからないようにするためである。円柱部材３６の側面を貫く孔４０のコイルスプリング４４が設けられている側の面には、係合突起４２が形成されている。係合突起４２の形状等については、図１の実施形態と同様であるので説明を省略する。
【手続補正１２】
【補正対象書類名】明細書
【補正対象項目名】００４２
【補正方法】変更
【補正の内容】
【００４２】
以上の構成において、固定部材本体５５Ａの横貫通孔５７に挿入された円柱部材３６の斜面６５とコイルスプリング４４の端部を押し縮めるようにしてカバー部材５５Ｂを固定部材本体５５Ａの側面に被せる。そして、カバー部材５５Ｂの孔６７Ｃを介して雄ネジ５２を差し込み、円柱部材３６の雌ネジ５０と軽く螺合させる（図５（ｃ）参照）。円柱部材３６は横貫通孔５７にスライド可能に挿入されていて、コイルスプリング４４の端面はカバー部材５５Ｂの孔６７Ａの内面によって付勢されている。円柱部材３６がコイルスプリング４４によって付勢されることによって、円柱部材３６の孔４０の軸心と、貫通孔３０の軸心とがズレた状態とされる。このような状態で、エンドピン１０の軸部２２が貫通孔３０と孔４０に挿入されると、孔４０内に形成された係合突起４２がエンドピン１０の軸部２２と係合するように接触する。係合突起４２が軸部２２に形成された環状凹部２６と係合したとき、雄ネジ５２を締め付け、係合突起４２及び孔４０の内面で軸部２２を押圧する。その他の作用・効果は図１の実施形態と同様であるので説明を省略する。
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
一端が楽器本体に収納され、他端が床に立てられる軸部を含み、該軸部に凹部が形成されたエンドピンを固定する本体固定部材であって、
前記楽器本体に固定される嵌合部と、
前記エンドピンの軸部が貫通させられる貫通孔と、
側面に前記貫通孔に直交して設けられた底面を有する穴と、
前記穴に摺動可能に配設され、前記軸部が貫通させられる孔と、該孔の内面に前記軸部の凹部に係合される係合突起が形成された円柱部材と、
前記穴の底面と円柱部材の端面との間に配設される付勢手段と、
前記円柱部材の他の端面に形成され、前記貫通孔と孔に挿通された前記軸部を該円柱部材を介して押圧する押圧手段と
を備えた本体固定部材。
【請求項２】
一端が楽器本体に収納され、他端が床に立てられる軸部を含み、該軸部に凹部が形成されたエンドピンを固定する本体固定部材であって、
前記楽器本体に固定される嵌合部と、
前記エンドピンの軸部が貫通させられる貫通孔と、
側面に前記貫通孔に直交して設けられた横貫通孔と、
前記横貫通孔に摺動可能に配設され、前記軸部が貫通させられる孔と、該孔の内面に前記軸部の凹部に係合される係合突起が形成された円柱部材と、
前記横貫通孔を覆うカバー部材と、
前記カバー部材の内面と前記円柱部材の端面との間に配設される付勢手段と、
前記円柱部材の他の端面に形成され、前記貫通孔と孔に挿通された前記軸部を該円柱部材を介して押圧する押圧手段と
を備えた本体固定部材。
【請求項３】
一端が楽器本体に収納され、他端が床に立てられる軸部を含み、該軸部に凹部が形成されたエンドピンを固定する本体固定部材であって、
前記楽器本体に固定される嵌合部と、
前記エンドピンの軸部が貫通させられる貫通孔と、
側面に前記貫通孔に至るように設けられた雌ネジと、
前記雌ネジに挿入される断面U字状の係合手段と、
前記雌ネジに螺合され、前記係合手段の端面に当接して該係合手段を介して前記軸部を押圧する押圧手段と、
前記係合手段の断面U字状の穴内に一端が収納され、他端が前記押圧手段の端面に当接する付勢手段と
を備えた本体固定部材。
【請求項４】
一端が楽器本体に収納され、他端が床に立てられる軸部を含み、該軸部に凹部が形成されたエンドピンと、
前記請求項１から３までのいずれかに記載の本体固定部材と
を備えて構成されるエンドピンの固定具。
【請求項５】
前記請求項４に記載のエンドピンの固定具を用いた楽器。
【請求項６】
一端が楽器本体に収納され、他端が床に立てられる軸部を含み、該軸部に凹部が形成されたエンドピンと、
前記楽器本体に固定される嵌合部と、前記エンドピンの軸部が貫通させられる貫通孔と、側面に該貫通孔に直交して設けられた底面を有する穴とを含む本体固定部材と
を備えたエンドピンの固定具の締結手段において、
前記穴に摺動可能に配設され、前記エンドピンが貫通させられる孔と、該孔の内面に前記軸部の凹部に係合される係合突起が形成された円柱部材と、
前記穴の底面と円柱部材の端面との間に配設される付勢手段と、
前記円柱部材の他の端面に形成され、前記貫通孔と孔に挿通された前記軸部を該円柱部材を介して押圧する押圧手段と
を備えた締結手段。
【手続補正２】
【補正対象書類名】明細書
【補正対象項目名】００１９
【補正方法】削除
【補正の内容】